(57)【要約】【課題】一方向から光を当てるだけで、凸部の表面に明暗を生じさせることができる建築板を提供する。【解決手段】表面に複数の凸部１０が形成された建築板である。各凸部１０の表面には、該表面に明領域３１を形成する複数の第一突条４と、複数の第一突条４に並ぶように形成され前記表面に暗領域３２を形成する複数の第二突条５とを備える。各第一突条４の突出先端部４１は、第一突条４の幅方向のうちの第一の側に偏っている。各第二突条５の突出先端部５１は、幅方向のうちの第一の側とは反対側の第二の側に偏っている。【選択図】図１
2017137695.tif 000002
【特許請求の範囲】
【請求項１】
表面に複数の凸部が形成された建築板であって、
前記各凸部の表面には、
該表面に明領域を形成する複数の第一突条と、
前記複数の第一突条に並ぶように形成され前記表面に暗領域を形成する複数の第二突条と
を備え、
前記各第一突条の突出先端部は、前記第一突条の幅方向のうちの第一の側に偏っており、
前記各第二突条の突出先端部は、前記幅方向のうちの前記第一の側とは反対側の第二の側に偏っている建築板。
【請求項２】
前記複数の第一突条および前記複数の第二突条は、各々が、断面において、前記突出先端部が湾曲しかつ前記突出先端部の前記幅方向の両側が直線状に傾斜した山形状に形成されている
請求項１記載の建築板。
【請求項３】
前記複数の凸部は、前記第一突条および前記第二突条の長手方向に平行な方向に一列に並ぶように配置されており、
前記複数の凸部の並ぶ方向において、複数の前記明領域が連続し、且つ、複数の前記暗領域が連続している
請求項１又は２に記載の建築板。
【請求項４】
前記複数の凸部は、前記第一突条および前記第二突条の長手方向に平行な方向に一列に並ぶように配置されており、
前記複数の凸部の並ぶ方向において、複数の前記明領域が不連続であり、且つ、複数の前記暗領域が不連続である
請求項１又は２に記載の建築板。
【請求項５】
前記第一突条及び前記第二突条が、木目柄を形成している
請求項１〜４のいずれか一項に記載の建築板。
【発明の詳細な説明】
【技術分野】
【０００１】
本発明は、建築板に関する。
【背景技術】
【０００２】
特許文献１には、従来の建築板が開示されている。この従来の建築板は、金属サイディングであり、表面材に複数の凸部および凹部が形成されている。この従来の建築板の表面材には、凸状の化粧部と凹状の目地部とが上下方向に交互に連続して形成されている。従来の建築板は、これら表面凹凸により、設置した状態において、建物のデザイン性を向上させようとするものである。
【先行技術文献】
【特許文献】
【０００３】
【特許文献１】特開２０１３−６７９６３号公報
【発明の概要】
【発明が解決しようとする課題】
【０００４】
ところでこの従来の建築板は、凸状の化粧部の断面形状が、単純な台形状であるに過ぎず、これら台形状の化粧部が上下方向に繰り返し形成されているに過ぎない。このため、この従来の建築板では、表面材に光が当たっても、凸状の化粧部に広く光が当たって明るくなるものの、凹状の目地部の一部が陰になるだけで、単調なデザインになりやすいという問題があった。
【０００５】
本発明は、上記事情に鑑みてなされたものであり、その目的とするところは、一方向から光を当てるだけで、凸部の表面に明暗を生じさせることができる建築板を提供することにある。
【課題を解決するための手段】
【０００６】
本発明の建築板は、表面に複数の凸部が形成された建築板であって、前記各凸部の表面には、該表面に明領域を形成する複数の第一突条と、前記複数の第一突条に並ぶように形成され前記表面に暗領域を形成する複数の第二突条とを備え、前記各第一突条の突出先端部は、前記第一突条の幅方向のうちの第一の側に偏っており、前記各第二突条の突出先端部は、前記幅方向のうちの前記第一の側とは反対側の第二の側に偏っていることを特徴とする。
【０００７】
また、この建築板において、前記複数の第一突条および前記複数の第二突条は、各々が、断面において、前記突出先端部が湾曲しかつ前記突出先端部の前記幅方向の両側が直線状に傾斜した山形状に形成されていることが好ましい。
【０００８】
また、この建築板において、前記複数の凸部は、前記第一突条および前記第二突条の長手方向に平行な方向に一列に並ぶように配置されており、前記複数の凸部の並ぶ方向において、複数の前記明領域が連続し、且つ、複数の前記暗領域が連続していることが好ましい。
【０００９】
また、この建築板において、前記複数の凸部は、前記第一突条および前記第二突条の長手方向に平行な方向に一列に並ぶように配置されており、前記複数の凸部の並ぶ方向において、複数の前記明領域が不連続であり、且つ、複数の前記暗領域が不連続であることが好ましい。
【００１０】
また、この建築板において、前記第一突条及び前記第二突条が、木目柄を形成していることが好ましい。
【発明の効果】
【００１１】
本発明の建築板によれば、突出先端部の位置が偏った複数の第一突条により明領域が形成されると共に、突出先端部の位置が第一突条とは反対側に偏った複数の第二突条により暗領域が形成されるため、一方向から光を当てるだけで、１つの凸部内に明暗を生じさせることができる。
【図面の簡単な説明】
【００１２】
【図１】本発明の一実施形態に係る建築板の写真である。
【図２】同上の建築板の要部縦断面図である。
【図３】図３Ａは、図２のＡ部分の拡大図である。図３Ｂは、図２のＢ部分の拡大図である。
【図４】同上の第一突条の設計時に想定された形状を示す要部拡大断面図である。
【発明を実施するための形態】
【００１３】
以下、本発明の実施形態について添付図面に基づいて説明する。
【００１４】
本実施形態の建築板は、図１のような外壁材であり、例えば、金属サイディングにより構成されている。本実施形態の建築板は、横長状態で設置される横張り用の外壁材である。以下においては、上下方向に平行な方向を幅方向とし、左右方向に平行な方向を長さ方向として定義し、幅方向および長さ方向に直交する方向を前後方向として定義する。また、建築板において前後方向に直交する平面を主面という場合がある。
【００１５】
建築板は、図２に示すように、表面板１と芯材６と裏面材７とを備えている。表面板１は、金属板により構成されており、例えば、塗装鋼板により構成される。表面板１には、図１に示すように、上下左右方向に並ぶ複数の凸部１０が形成されている。各凸部１０間には、凸部１０同士の継ぎ目である疑似目地２（以下、単に目地２という）が形成されている。本実施形態の建築板は、目地２として、建築板の幅方向に沿って延びる縦目地２１と、建築板の長さ方向に沿って延びる横目地２２とを備えている。本実施形態の各凸部１０の表面には、木目柄が形成されており、各凸部１０が木板を模した形状に形成される。表面板１の木目柄模様は、長さ方向に延びた突条により形成されており、例えば、ロール成型またはプレス成型により形成される。
【００１６】
芯材６は、図２に示すように、表面板１の裏側に設けられている。芯材６は、断熱材により構成されており、例えば、ポリイソシアヌレートフォームやポリウレタンなどにより構成される。裏面材７は、芯材６の裏面に設けられている。裏面材７は、例えば、アルミラミネート加工されたクラフト紙により構成される。
【００１７】
本実施形態の建築板には、図１に示すように、各凸部１０の表面に明領域３１と暗領域３２とを形成する明暗領域形成部３が設けられている。明暗領域形成部３は、例えば、太陽光などのような光源からの一方向の光を受けると、明領域３１と暗領域３２との両方を、各凸部１０の表面に形成する。明暗領域形成部３は、図２に示すように、各凸部１０の表面に形成された複数の第一突条４と、複数の第二突条５とを備えている。
【００１８】
以下においては、光源が、建築板に対して前斜め上方に位置する場合に基づいて説明する。
【００１９】
複数の第一突条４は、各凸部１０の表面に明領域３１を形成する。明領域３１とは、凸部１０に光を当てたときに、暗領域３２に比べて明るい領域をいう。各第一突条４は、左右方向に延びており、図３Ａに示すように、断面山形状に形成されている。第一突条４は、突出先端部４１と、突出先端部４１の上下方向の両側に位置する一対の面状部４２とで構成される。
【００２０】
突出先端部４１は、断面において円弧状に湾曲している。突出先端部４１は、第一突条４の突出基部に対し、平面視において、下方側（第一の側）に偏って位置している。言い換えると、突出先端部４１は、第一突条４の幅方向のうち光源側とは反対側に偏って位置している。ここで「突出先端部４１が偏る」とは、突出先端部４１が突条４の幅方向の中央に位置せずに、幅方向のいずれか側に位置していることをいう。
【００２１】
一対の面状部４２は、断面において直線状に形成されている。一対の面状部４２は、光源側に位置する幅広部４３と、突出先端部４１を介して幅広部４３の反対側に位置する幅狭部４４とを備えている。幅広部４３は、幅狭部４４に比べて幅が広く形成されている。幅広部４３は、光源側に臨んでいるため、光を受けることができるように構成されているのに対し、幅狭部４４は、光源とは反対側に臨んでいるため陰になる。したがって、複数の第一突条４を離れた位置から見ると、光を受ける面状部４２の面積の合計が、陰になる面状部４２の面積の合計よりも大きいため、明領域３１を形成することができる。
【００２２】
複数の第二突条５は、図２に示すように、各凸部１０の表面に暗領域３２を形成する。暗領域３２とは、凸部１０に光を当てたときに、明領域３１に比べて暗い領域をいう。各第二突条５は、左右方向に延びており、図３Ｂに示すように、断面山形状に形成されている。第二突条５は、第一突条４と同様に、突出先端部５１と、突出先端部５１の上下方向の両側に位置する一対の面状部５２とで構成される。
【００２３】
突出先端部５１は、断面において円弧状に湾曲している。突出先端部５１は、第二突条５の突出基部に対し、平面視において、上方側（第二の側）に偏って位置している。言い換えると、突出先端部５１は、第二突条５の幅方向のうち光源が位置する側に偏って位置している。
【００２４】
一対の面状部５２は、第一突条４と同様に、断面において直線状に形成されている。一対の面状部５２は、光源側に位置する幅狭部５４と、幅広部５３とは突出先端部５１を介した反対側に位置する幅広部５３とを備えている。幅狭部５４は、幅広部５３に比べて幅が狭く形成されている。幅狭部５４は、光源側に臨んでいるため、光を受けることができるように構成されているのに対し、幅広部５３は、光源とは反対側に臨んでいるため陰になる。したがって、複数の第二突条５を離れた位置から見ると、陰になる面状部５２の面積の合計が、光を受ける面状部５２の面積の合計よりも大きいため、暗領域３２を形成することができる。
【００２５】
なお、面状部４２，５２にいう「直線状」とは、厳密な意味での直線状のみを言うのではなく、直線状に近いものも含み、すなわち緩やかにたわんだ形状も含む。つまり、ほぼ直線状に見えるような形状は、ここでいう「直線状」の範疇であるとする。
【００２６】
このような構成の第一突条４は、図２に示すように、上下方向に並んでおり、複数の第一突条４が、その間に第二突条５が入り込むことなく連続して形成されている。また、複数の第二突条５についても、上下方向に並んでおり、複数の第二突条５が連続して形成されている。複数の第一突条４と複数の第二突条５は、１つの凸部１０の表面において上下に並んで配置され、これにより、１つの凸部１０に、明領域３１と暗領域３２とを形成することができる。
【００２７】
明領域３１と暗領域３２とが形成される複数の凸部１０は、図１に示すように、上下方向に隣り合う凸部１０同士において、複数の第一突条４と複数の第二突条５との位置関係が異なる。つまり、隣り合う凸部１０に光源からの光が照射されると、上下方向に隣り合う凸部１０同士で、明領域３１と暗領域３２の現れ方が異なることになる。この結果、複数の建築板を左右方向に並べて設置した場合において、これらが仮に上下方向にずれた場合にも、ズレが目立たないようにできる。
【００２８】
具体的に説明すると、図１において、最上部の凸部１０（以下、第１の凸部１１）と、二段目の凸部１０（以下、第２の凸部１２）とで、複数の第一突条４と複数の第二突条５との位置関係が異なっている。第１の凸部１１は、上半部において複数の第二突条５が形成され、下半部において複数の第一突条４が形成されている。一方、第２の凸部１２は、上側から順に、約１／５の領域において複数の第二突条５が形成され、２／５の領域において複数の第一突条４が形成され、２／５の領域において複数の第二突条５が形成されている。
【００２９】
ここで、仮に、複数の第一突条４と複数の第二突条５との位置関係が、幅方向に並ぶ凸部１０同士において同じ関係とすると、明領域３１が幅方向に等ピッチで並ぶことになる。このとき、長さ方向に並ぶ建築板において、建築板同士が幅方向にずれると、明領域３１が幅方向にずれ、そのズレが目立つ。これに対し、本実施形態の建築板では、明領域３１と暗領域３２との位置関係が、幅方向に並ぶ凸部１０で異なるため、仮に建築板同士が幅方向にずれたとしても、その位置ずれが目立つのを抑制できる。
【００３０】
また、本実施形態の複数の凸部１０は、上下方向に並ぶだけでなく、左右方向（つまり突条４，５の長手方向に平行な方向）に一列に並ぶように配置されている。左右方向に並ぶ凸部１０に着目すると、左右方向に縦目地２１を介して並ぶ明領域３１が連続し、かつ、縦目地２１を介して並ぶ暗領域３２が連続している。
【００３１】
このため、この建築板に光源からの光が当たると、左右方向に延びる帯状の明領域３１が形成される。なお、ここで言う「明領域が連続」とは、明領域が帯状に見える程度に連続していればよく、多少、上下方向にずれていても帯状と感得できればその範疇に含まれる。もちろん、目地２を介して隣り合う状態も「明領域が連続」するという。
【００３２】
一方、これとは対照的に、左右方向に縦目地２１を介して並ぶ明領域３１が不連続であり、かつ、縦目地２１を介して並ぶ暗領域３２が不連続であってもよい。この場合、明領域３１が帯状には現れないが、明領域３１および暗領域３２が建築板全体にランダムに現れる。ここでいう「不連続」とは、左右方向に並ぶ明領域が、明領域の幅方向の一部で重なっていてもよいし、互いに離れていてもよい。
【００３３】
また、本実施形態の突条４，５は、図１に示すように、全体として木目柄を形成している。したがって、建築板に光源からの光が当たると、木目柄の中に明領域３１と暗領域３２とが形成され、木目柄と明暗とを組み合わせた従来にないデザイン性を付与することができる。しかも、複数の建築板を左右方向に連続するように設置すれば、明領域３１が帯状に連続するように現われるため、木目柄に加えて、明暗によるストライプの印象を与えることができる。この結果、建物外観の見栄えにおいて、単なる木目柄ではなく、明暗による変化を与えることができる。
【００３４】
（効果）
以上、説明したように、本実施形態の建築板は、以下の構成を備える。すなわち、本実施形態の建築板は、表面に複数の凸部１０が形成された建築板である。複数の凸部１０の各々の表面には、各凸部１０の表面に明領域３１と暗領域３２とを形成する明暗領域形成部３が設けられている。明暗領域形成部３は、明領域３１を形成する複数の第一突条４と、複数の第一突条４に並ぶように形成され暗領域３２を形成する複数の第二突条５とを備える。複数の第一突条４の各々の突出先端部４１は、第一突条４の幅方向のうちの第一の側に偏っている。複数の第二突条５の各々の突出先端部５１は、幅方向のうちの第一の側とは反対側の第二の側に偏っている。この構成によれば、建築板に一方向から光が当たると、各凸部１０において、明領域３１と暗領域３２とが形成され、すなわち、各凸部１０の表面に明暗を生じさせることができる。この結果、本実施形態の建築板によれば、単調なデザインにはなりにくく、明暗を利用した多様なデザインを実現できる。
【００３５】
また、本実施形態の建築板は、次の付加的な構成を有する。すなわち、本実施形態において第一の側は、第一突条４の幅方向のうちの光源側とは反対側である。この構成によれば、明暗領域形成部３を形成するに当たり、効率よく第一突条４および第二突条５を形成することができる。
【００３６】
また、本実施形態の建築板は、次の付加的な構成を有する。すなわち、本実施形態の複数の第一突条４および複数の第二突条５は、各々が、断面において、突出先端部５１，４１が湾曲しかつ突出先端部４１，５１の幅方向の両側が直線状に傾斜した山形状に形成されている。この構成によれば、建築板が金属サイディングであっても、第一突条４および第二突条５の突出先端部５１に孔が開くのを防ぐことができ、また、突出先端部５１の両側が断面直線状であるため製造が容易である。
【００３７】
また、本実施形態の建築板は、次の付加的な構成を有する。すなわち、本実施形態の建築板は、複数の凸部１０が、建築板の幅方向に複数並ぶように配置されている。複数の第一突条４と複数の第二突条５との複数の凸部１０の各々における位置関係は、幅方向に隣り合う凸部１０同士で異なっている。この構成によれば、複数の建築板を長さ方向に並ぶように配置した場合において、建築板同士が幅方向に位置ずれしていたとしても、当該位置ずれが目立たないようにできる。
【００３８】
また、本実施形態の建築板は、次の付加的な構成を有する。すなわち、本実施形態の建築板は、明暗領域形成部３が、木目柄を形成している。この構成によれば、木目柄として外壁を形成しつつも、明暗を効果的に利用した多様なデザインを形成することが可能となる。
【００３９】
また、本実施形態の建築板は、次の付加的な構成を有する。すなわち、本実施形態の複数の凸部１０は、第一突条４および第二突条５の長手方向に平行な方向に一列に並ぶように配置されている。複数の凸部１０の並ぶ方向において、複数の明領域３１が連続し、かつ、複数の暗領域３２が連続している。この構成によれば、建築板に光が当たると、明領域３１が建築板全体に帯状に現われ、従来にないデザイン性を付与することができる。
【００４０】
また、本実施形態の建築板は、次の構成を有していてもよい。すなわち、複数の凸部１０は、第一突条４および第二突条５の長手方向に平行な方向に一列に並ぶように配置されている。複数の凸部１０の並ぶ方向において、複数の明領域３１が不連続であり、かつ、複数の暗領域３２が不連続である。この構成によれば、建築板に光が当たると、明領域３１が建築板全体にランダムに現われ、従来にないデザイン性を付与することができる。また、仮に左右方向に隣接する建築板同士に上下方向へのずれが生じても、明領域３１がランダムに現れるため、ズレが目立たないようにできる。
【００４１】
なお、本実施形態の各突条４，５の突出先端部４１，５１は、断面において弧状に湾曲していたが、例えば、Ｌ字状に屈曲していてもよい。また、面状部４２，５２は直線状でなくてもよい。
【００４２】
また、本実施形態の各突条は、設計上では図４のように、幅広部４３においては、突条部４の基部側（下側）に凹むように凹状に湾曲しており、幅狭部４４においても下方に凸となるように緩やかに湾曲している。これは、プレス加工時のスプリングバックの作用によって、設計段階で想定する形状と、実際に成形された形状とに差が生じる。したがって本実施形態の突条４，５としては、上述の実際に成形された突条４，５の形状はもちろん、図４のような設計上の形状についても同様の効果を奏することができ、いずれも本発明の範疇である。
【００４３】
また、本実施形態の建築板は、金属サイディングにより構成されたが、例えば、窯業系のサイディング材であってもよく、本発明の建築板は金属サイディングに限定されない。また、建築板は、横張り用の外壁材でなくてもよく、例えば、縦張り用の外壁材であってもよい。さらに、本実施形態の建築板は、内壁材や、間仕切りに適用してもよく、用途について特に限定されない。なお、建築板を室内で使用する場合、光源は、室内照明等により構成される。
【００４４】
その他、本発明の主旨を逸脱しない範囲であれば、適宜設計変更を行うことができる。
【符号の説明】
【００４５】
１０    凸部
３１    明領域
３２    暗領域
４      第一突条
４１    突出先端部
５      第二突条
５１    突出先端部
【図１】
2017137695.tif 000003
【図２】
2017137695.tif 000004
【図３】
2017137695.tif 000005
【図４】
2017137695.tif 000006